(57)【要約】【課題】簡単かつ安価な構成でありながら前傾角を簡単かつ正確に測定できる眼鏡の前傾角測定具、及び、簡単かつ正確に前傾角を測定できる眼鏡の前傾角測定方法を提供する。【解決手段】透明な薄板材に、第１基準直線１１、１２と、第１基準直線に対してそれぞれ異なる角度で傾斜する第１傾斜線群１３とを形成し、かつ薄板材の一方の面をフレームの側面に貼着可能なシール面とした第１測定具１０を備える。【選択図】図３
2010224080.tif 000002
【特許請求の範囲】
【請求項１】
眼鏡のフレームをユーザーが装用したときにレンズまたは上記フレームのレンズ支持枠が側面視で鉛直線に対してなす前傾角を測定するための測定具であって、
薄板材の透光部に、第１基準直線と、該第１基準直線に対してそれぞれ異なる角度で傾斜する第１傾斜線群とを形成し、かつ上記薄板材の一方の面を上記フレームの側面に貼着可能なシール面とした第１測定具を備えることを特徴とする眼鏡の前傾角測定具。
【請求項２】
請求項１記載の眼鏡の前傾角測定具において、
貫通支持孔を有する薄板材の透光部に、該貫通支持孔を該貫通支持孔より小径の支持手段で回転可能に支持したときに鉛直方向または水平方向を向く第２基準直線を形成した第２測定具を、上記第１測定具とは別に備える眼鏡の前傾角測定具。
【請求項３】
請求項２記載の眼鏡の前傾角測定具において、
上記第２測定具に、上記第１基準直線と第２基準直線を第１測定具及び第２測定具の厚み方向に重ねたときに上記第１傾斜線群と該厚み方向に重なる、上記第２基準直線に対してそれぞれ異なる角度で傾斜する第２傾斜線群を形成した眼鏡の前傾角測定具。
【請求項４】
眼鏡のフレームをユーザーが装用したときにレンズまたは上記フレームのレンズ支持枠が側面視で鉛直線に対してなす前傾角を測定するための測定方法であって、
薄板材の透光部に、第１基準直線と、該第１基準直線に対してそれぞれ異なる角度で傾斜する第１傾斜線群とを形成し、かつ上記薄板材の一方の面をシール面とした第１測定具の上記第１基準直線を鉛直方向または水平方向に向ける第１測定具方向調整ステップ、
上記第１測定具の上記シール面を上記フレームの側面に貼着するステップ、及び、
上記第１傾斜線群を利用して上記前傾角を目視により測定する測定ステップ、
を有することを特徴とする眼鏡の前傾角測定方法。
【請求項５】
請求項４記載の眼鏡の前傾角測定方法において、
上記第１測定具方向調整ステップが、
貫通支持孔を有する薄板材の透光部に第２基準直線を形成した第２測定具の該貫通支持孔を該貫通支持孔より小径の支持手段で回転可能に支持することにより、上記第２基準直線を鉛直方向または水平方向に向けるステップ、
該第２測定具を上記フレームに貼着した第１測定具に対向させて、上記第２基準直線を第１基準直線に対して第１測定具及び第２測定具の厚み方向に重ねるステップ、及び、
上記第１基準直線の向きが上記第２測定具の上記第２基準直線と一致しているか否かを目視により確認するステップ、
を有する眼鏡の前傾角測定方法。
【請求項６】
請求項５記載の眼鏡の前傾角測定方法において、
上記第１測定具方向調整ステップが、
上記第１基準直線の向きが上記第２測定具の上記第２基準直線と一致しないときに、上記シール面を上記フレームから剥がすステップ、及び、
上記第１基準直線の向きが上記第２基準直線と一致するように上記第１測定具の方向を調整した後に、該第１測定具の上記シール面を上記フレームの側面に再度貼着するステップ、
を有する眼鏡の前傾角測定方法。
【請求項７】
請求項５または６記載の眼鏡の前傾角測定方法において、
上記第２測定具に、上記第１基準直線と第２基準直線を上記厚み方向に重ねたときに上記第１傾斜線群と上記厚み方向に重なる、該第２基準直線に対してそれぞれ異なる角度で傾斜する第２傾斜線群を形成した眼鏡の前傾角測定方法。
【発明の詳細な説明】
【技術分野】
【０００１】
本発明は、ユーザーが眼鏡を掛けたときにレンズまたはフレームのレンズ支持枠が鉛直線に対してなす角である前傾角を測定するための眼鏡の前傾角測定具及び眼鏡の前傾角測定方法に関する。
【背景技術】
【０００２】
眼鏡用のレンズは、ユーザーが眼鏡を掛けたときにレンズが側面視において鉛直方向に対してなす前傾角が設計通りの角度になったときに、ユーザーが所定の光学性能を体感できるように設計されている。
前傾角は、（１）レンズフレームのレンズ支持枠とテンプルが側面視においてなす角度、（２）レンズの側面形状、及び、（３）左右のテンプルをユーザーの両耳に掛けたときの側面視におけるレンズ支持枠の鉛直方向に対する傾斜角、の３つによって決まる。このうち（１）及び（２）は眼鏡毎に固有のものであるが、（３）はユーザー毎に異なるものであるため、同じ仕様の眼鏡であっても前傾角はユーザー毎に異なる。
そのため、ユーザーが眼鏡小売店において眼鏡を購入する際には、ユーザーが眼鏡を掛けたときの前傾角を正確に測定し、当該前傾角に適合したレンズを選択する必要がある。
【先行技術文献】
【特許文献】
【０００３】
【特許文献１】特開２００８−０５１８３７号公報
【発明の概要】
【発明が解決しようとする課題】
【０００４】
従来は前傾角を簡単かつ正確に測定するためのツールが存在しなかったため、小売店の店員が目視によって前傾角を測定していた。
しかしこの方法では前傾角を正確に測定するのが難しいため、不正確な測定結果を得るおそれがあった。
【０００５】
本発明の目的は、簡単かつ安価な構成でありながら前傾角を簡単かつ正確に測定できる眼鏡の前傾角測定具、及び、簡単かつ正確に前傾角を測定できる眼鏡の前傾角測定方法を提供することにある。
【課題を解決するための手段】
【０００６】
本発明の眼鏡の前傾角測定具は、眼鏡のフレームをユーザーが装用したときにレンズまたは上記フレームのレンズ支持枠が側面視で鉛直線に対してなす前傾角を測定するための測定具であって、薄板材の透光部に、第１基準直線と、該第１基準直線に対してそれぞれ異なる角度で傾斜する第１傾斜線群とを形成し、かつ上記薄板材の一方の面を上記フレームの側面に貼着可能なシール面とした第１測定具を備えることを特徴としている。
【０００７】
貫通支持孔を有する薄板材の透光部に、該貫通支持孔を該貫通支持孔より小径の支持手段で回転可能に支持したときに鉛直方向または水平方向を向く第２基準直線を形成した第２測定具を、上記第１測定具とは別に備えるのが好ましい。
【０００８】
さらに、上記第２測定具に、上記第１基準直線と第２基準直線を第１測定具及び第２測定具の厚み方向に重ねたときに上記第１傾斜線群と該厚み方向に重なる、上記第２基準直線に対してそれぞれ異なる角度で傾斜する第２傾斜線群を形成するのが好ましい。
【０００９】
本発明の眼鏡の前傾角測定方法は、眼鏡のフレームをユーザーが装用したときにレンズまたは上記フレームのレンズ支持枠が側面視で鉛直線に対してなす前傾角を測定するための測定方法であって、薄板材の透光部に、第１基準直線と、該第１基準直線に対してそれぞれ異なる角度で傾斜する第１傾斜線群とを形成し、かつ上記薄板材の一方の面をシール面とした第１測定具の上記第１基準直線を鉛直方向または水平方向に向ける第１測定具方向調整ステップ、上記第１測定具の上記シール面を上記フレームの側面に貼着するステップ、及び、上記第１傾斜線群を利用して上記前傾角を目視により測定する測定ステップ、を有することを特徴としている。
【００１０】
上記第１測定具方向調整ステップが、貫通支持孔を有する薄板材の透光部に第２基準直線を形成した第２測定具の該貫通支持孔を該貫通支持孔より小径の支持手段で回転可能に支持することにより、上記第２基準直線を鉛直方向または水平方向に向けるステップ、該第２測定具を上記フレームに貼着した第１測定具に対向させて、上記第２基準直線を第１基準直線に対して第１測定具及び第２測定具の厚み方向に重ねるステップ、及び、上記第１基準直線の向きが上記第２測定具の上記第２基準直線と一致しているか否かを目視により確認するステップ、を有するのが好ましい。
【００１１】
さらに、上記第１測定具方向調整ステップが、上記第１基準直線の向きが上記第２測定具の上記第２基準直線と一致しないときに、上記シール面を上記フレームから剥がすステップ、及び、上記第１基準直線の向きが上記第２基準直線と一致するように上記第１測定具の方向を調整した後に、該第１測定具の上記シール面を上記フレームの側面に再度貼着するステップ、を有するのが好ましい。
【００１２】
さらに上記第２測定具に、上記第１基準直線と第２基準直線を上記厚み方向に重ねたときに上記第１傾斜線群と上記厚み方向に重なる、該第２基準直線に対してそれぞれ異なる角度で傾斜する第２傾斜線群を形成するのが好ましい。
【発明の効果】
【００１３】
本発明によると、第１測定具は簡単かつ安価な構成であるものの、目視により第１測定具の第１基準直線を鉛直方向または水平方向に向けた上でシール面を眼鏡のフレームの側面に貼着すれば、第１傾斜線群を利用した目視によって前傾角を簡単かつ正確に測定できる。
【００１４】
さらに、第１測定具に加えて第２測定具を利用すれば、傾斜角をより正確に測定できる。
即ち、第２測定具の貫通支持孔を支持手段で回転可能に支持することにより第２基準直線を鉛直方向または水平方向に向け、かつ、第２測定具をフレームに貼着した第１測定具に対向させることにより第２基準直線を第１基準直線に対して第１測定具及び第２測定具の板厚方向に重ねれば、第１基準直線の向きが第２基準直線と一致しているか否かを目視により確認できる。
このとき、第１基準直線と第２基準直線の向きが一致しているのであれば、第１傾斜線群を利用した目視によって前傾角をより正確に測定できる。
一方、第１基準直線の向きが第２基準直線と一致しない場合は、シール面をフレームから一旦剥し、第１基準直線の向きが第２基準直線と一致するように第１測定具の方向を調整した後に、第１測定具のシール面をフレームの側面に再度貼着する。このような調整を行えば、第１傾斜線群を利用した目視によって前傾角をより正確に測定できる。
【００１５】
さらに第２測定具に第２傾斜線群を形成し、第１傾斜線群と第２傾斜線群が重なるように第１測定具の向きを調整すれば、第１測定具の方向をより正確に調整可能になる。そのため、前傾角をより一層正確に測定できるようになる。
【図面の簡単な説明】
【００１６】
【図１】本発明の第１の実施形態の第１測定具の全体図である。
【図２】測定対象の眼鏡をユーザーが装用したときの様子を側方から見た図である。
【図３】ユーザーが装用した眼鏡のフレームの側面に第１測定具を貼着したときの図２と同様の図である。
【図４】本発明の第２の実施形態の第２測定具の全体図である。
【図５】第２測定具を第１測定具に重ねたときの図３と同様の図である。
【図６】第２の実施形態の測定手順を説明するためのフローチャートである。
【図７】第２の実施形態の変形例において第１測定具を眼鏡のフレームの側面に貼着したときの図３と同様の図である。
【図８】同じく、第２測定具を第１測定具に重ねたときの図３と同様の図である。
【発明を実施するための形態】
【００１７】
以下、添付図面を参照しながら本発明の第１の実施形態を図１〜図３に基づいて説明する。
図１に示す第１測定具１０は無色透明なセロハンからなる薄肉かつ矩形の紙葉体（薄板材）である。第１測定具１０の一方の面（表面）には第１測定具１０の長手方向に延びる第１基準鉛直線（第１基準直線）１１と、第１基準鉛直線１１に対して直交する第１基準水平線（第１基準直線）１２と、第１基準鉛直線１１と第１基準水平線１２の交点から放射状に延びる計４０本の第１傾斜線１３とがプリントしてある。第１傾斜線１３は第１基準鉛直線１１の左右両側に第１基準鉛直線１１から１°おきに２０本ずつプリントしてある。第１測定具１０の他方の面（裏面）は接着剤を塗布したシール面となっている。第１測定具１０は前傾角測定前の未使用時においてはそのシール面が台紙（図示略）に貼られており、台紙から剥がすことにより前傾角測定のために使用可能な状態となる。
図２及び図３に示す本実施形態の眼鏡２０は遠近両用眼鏡であり、フレーム２１と、レンズ２４からなるものである。フレーム２１は、正面視略方形をなす左右一対のレンズ支持枠２２と、左右のレンズ支持枠２２をつなぐブリッジ（図示略）と、左右のレンズ支持枠２２にそれぞれ固定した鼻掛け部と、左右のレンズ支持枠２２にそれぞれの一端が回転可能に接続した一対のテンプル２３と、を具備しており、左右のレンズ支持枠２２に左右のレンズ２４（遠近両用レンズ）がそれぞれ嵌合固定してある。
図２及び図３に示すように、眼鏡２０は、左右のテンプル２３をユーザーの左右の耳（図示略）に掛け、かつ、左右の鼻掛け部を鼻Ａ１の上部の左右両側に接触させることにより頭部Ａに装用できる。そして、眼鏡２０を頭部Ａに装用したときに側面視においてレンズ２４の傾斜方向Ｌ２が鉛直線Ｌ１に対してなす角度αが前傾角である（図２及び図３参照）。
【００１８】
続いて第１測定具１０を利用した前傾角αの測定要領について説明する。
まず図２に示すようにユーザーの頭部Ａに眼鏡２０を掛ける。
次いで、ユーザーとは別の測定者（例えば小売店の店員）が上記台紙から剥がした第１測定具１０を頭部Ａの側方から眼鏡２０に近づけ、測定者が目視により第１測定具１０の向きを調整し、第１基準鉛直線１１が鉛直方向を向きかつ第１基準水平線１２が水平方向を向くようにする。そして、図３に示すように第１測定具１０の上記シール面を一方のレンズ支持枠２２及びテンプル２３の側面に貼着する。この際、第１基準鉛直線１１と第１基準水平線１２の交点をレンズ支持枠２２とテンプル２３の接続部に対して第１測定具１０の厚み方向（紙面に対して直交する方向）に重ねる。
すると、レンズ２４の側面がいずれかの第１傾斜線１３と重なるので、この第１傾斜線１３の第１基準鉛直線１１に対する傾斜角を測定者が目視により読み取る。この読み取った傾斜角が前傾角αなので、測定者は測定した前傾角αを記録帳やパソコン等にデータとして記録する。
測定者は、記録した前傾角αや、同時に測定したユーザーの視力、アイポイント等の各種情報をレンズ２４を製造しているメーカーに送る。すると、当該メーカーが、送られた各種情報に基づいて当該ユーザーにとって最適な遠近両用レンズを在庫の中から選択するか、あるいは新規に製造し、この選択または新規に製造した遠近両用レンズを当該小売店に送る。そして、小売店が受け取った遠近両用レンズを眼鏡２０のレンズ支持枠２２に嵌めれば上記ユーザーにとって最適な眼鏡２０が完成するので、この眼鏡２０をユーザーに引き渡す。
【００１９】
以上説明したように本実施形態によれば、第１測定具１０は簡単かつ安価な構成であるものの、第１測定具１０を眼鏡２０に貼着すれば第１傾斜線１３を利用した目視によって前傾角αを簡単かつ正確に測定できる。
しかも、測定を終わった後も第１測定具１０を眼鏡２０に貼着したままにしておけば、測定した前傾角αを記録し忘れた場合であっても前傾角αを再度確認することが可能なので便利である。
【００２０】
続いて本発明の第２の実施形態を図４〜図６を参照しながら説明する。なお、第１の実施形態と同じ部材には同じ符号を付すに止めて、その詳細な説明は省略する。
本実施形態の測定具は、第１測定具１０と、第１測定具１０とは別体の第２測定具３０と、を具備している。
第２測定具３０は無色透明なプラスチックからなる矩形形状の薄板材であり、その長手方向寸法及び短手方向寸法はいずれも第１測定具１０より長い。第２測定具３０の一方の面（表面）には第２測定具３０の長手方向に延びる第２基準鉛直線（第２基準直線）３１と、第２基準鉛直線３１に対して直交する第２基準水平線（第２基準直線）３２と、第２基準鉛直線３１と第２基準水平線３２の交点から放射状に延びる計４０本の第２傾斜線３３とがプリントしてある。第２傾斜線３３は第２基準鉛直線３１の左右両側に第２基準鉛直線３１から１°おきに２０本ずつプリントしてある。さらに、第２測定具３０の長手方向の一方の端部近傍には円形の貫通支持孔３４が穿設してある。
【００２１】
続いて第１測定具１０及び第２測定具３０を利用した前傾角αの測定要領について図６のフローチャートを利用しながら説明する。
まずユーザーの頭部Ａに眼鏡２０を掛け（ステップ１）、かつ上記と同様の手順によりフレーム２１に第１測定具１０を貼着する（ステップ２）。
次いで、第２測定具３０の貫通支持孔３４に貫通支持孔３４より小径の支持手段４０（例えばペン）を挿入し、該支持手段によって貫通支持孔３４を回転可能に支持する。すると重力によって第２測定具３０の向きが自動的に調整され、図５に示すように第２基準鉛直線３１が鉛直方向を向き、かつ第２基準水平線３２が水平方向を向く（ステップ３）。
続いて、向きをこの状態に保ったままの第２測定具３０を側方から第１測定具１０に近づけて第１測定具１０に被せ、第２基準鉛直線３１と第２基準水平線３２の交点を第１基準鉛直線１１と第１基準水平線１２の交点に対して（第１測定具１０及び第２測定具３０の厚み方向に）重ねる（図５参照。ステップ４）。このとき、第１測定具１０の第１基準鉛直線１１、第１基準水平線１２が第２測定具３０の第２基準鉛直線３１、第２基準水平線３２とそれぞれ正確に重ならず、かつ、第１測定具１０の各第１傾斜線１３が第２測定具３０の各第２傾斜線３３とそれぞれ正確に重ならない場合は（ステップ４でＮＯの場合は）、第１測定具１０のシール面をフレーム２１から剥がす。そして、測定者が第１基準鉛直線１１、第１基準水平線１２が第２測定具３０の第２基準鉛直線３１、第２基準水平線３２と正確に重なりかつ各第１傾斜線１３が各第２傾斜線３３と正確に重なるように第１測定具１０の向きを調整し、その後に第１測定具１０のシール面を再度フレーム２１の側面に貼着する（ステップ５）。
この後に再度第２測定具３０の第２基準鉛直線３１と第２基準水平線３２の交点を第１測定具１０の第１基準鉛直線１１と第１基準水平線１２の交点に重ね、その結果、第１基準鉛直線１１、第１基準水平線１２、第１傾斜線１３が第２測定具３０の第２基準鉛直線３１、第２基準水平線３２、第２傾斜線３３とそれぞれ正確に重なったら（ステップ４でＹＥＳとなったら）、第２測定具３０を第１測定具１０から離間させて、測定者が第１傾斜線１３を利用してレンズ２４の前傾角αを目視により読み取る（ステップ６）。そして最後に、測定者が読み取った前傾角αを記録帳やパソコンにデータとして記録する（ステップ７）。
なお、ステップ３の後に第１基準鉛直線１１、第１基準水平線１２、第１傾斜線１３が第２測定具３０の第２基準鉛直線３１、第２基準水平線３２、第２傾斜線３３とそれぞれ正確に重なった場合は（ステップ４でＹＥＳの場合は）、第１測定具１０を眼鏡２０から剥がすことなくそのまま第１測定具１０を利用して前傾角αを測定する（ステップ６）。
【００２２】
以上説明したように第２の実施形態によれば、簡単かつ安価な構成である第２測定具３０を利用することにより、眼鏡２０に貼着した第１測定具１０の第１基準鉛直線１１、第１基準水平線１２をそれぞれ鉛直方向と水平方向に正確に向けることが可能になるので、目視による前傾角αの測定をより正確に行うことが可能である。
【００２３】
なお、本実施形態において次の方法により前傾角αを測定することも可能である。
即ち、図７に示すように第１測定具１０を眼鏡２０のフレーム２１に貼る際に、第１測定具１０の第１基準鉛直線１１をレンズ２４の傾斜方向Ｌ２と一致させる。そして図８に示すように、第２基準鉛直線３１を鉛直方向に向けかつ第２基準水平線３２を水平方向に向けた第２測定具３０を第１測定具１０に被せ、第２基準鉛直線３１と第２基準水平線３２の交点を第１基準鉛直線１１と第１基準水平線１２の交点に対して重ねる。
このようにすれば、測定者は傾斜方向Ｌ２が第２基準鉛直線３１（鉛直線Ｌ１）に対してなす前傾角αを目視により読み取ることが出来る。       
【００２４】
本発明は上記実施形態に限定されるものではなく、様々な変形を施しながら実施可能である。
例えば、第１測定具１０や第２測定具３０の色は有色透明であってもよく、さらに第１測定具１０や第２測定具３０の材質は上記のものには限定されず透明な材質であれば他のものであってもよい。また、第１測定具１０と第２測定具３０は、第１基準鉛直線１１、第１基準水平線１２、第１傾斜線１３、第２基準鉛直線３１、第２基準水平線３２、第２傾斜線３３を形成した部分が透光性を有する透光部であればよく、その他の部分を透光性がない材質によって成形してもよい。
さらに、第１測定具１０の第１基準鉛直線１１と第１基準水平線１２の一方、あるいは第２測定具３０の第２基準鉛直線３１と第２基準水平線３２の一方を省略してもよい。なおこの場合は、第１基準鉛直線１１を省略するのであれば第２基準鉛直線３１を省略し、第１基準水平線１２を省略するのであれば第２基準水平線３２を省略する。
また、測定対象のレンズは短小点レンズであってもよい。
【００２５】
さらに、フレーム２１のレンズ支持枠２２にレンズ２４を嵌めたときに、側面視におけるレンズ２４の傾斜方向Ｌ２とレンズ支持枠２２の傾斜方向が一致するのであれば、レンズ支持枠２２にレンズ２４を嵌めずに、レンズ支持枠２２の傾斜方向と鉛直線Ｌ１とに基づいて前傾角αを測定することも可能である。但し、レンズ支持枠がレンズの上部のみを支持するタイプ（レンズの側部及び下部を支持する部分を省略したタイプ）である場合や、テンプルの前端部に回転可能に取り付けた小寸部材からなるレンズ支持枠をレンズのテンプル側の縁部にネジを利用して固定するタイプの場合は、実際にレンズをフレームに取り付けて前傾角αを測定する必要がある。
【符号の説明】
【００２６】
１０    第１測定具
１１    第１基準鉛直線（第１基準直線）
１２    第１基準水平線（第１基準直線）
１３    第１傾斜線（第１傾斜線群）
２０    眼鏡
２１    フレーム
２２    レンズ支持枠
２３    テンプル
２４    レンズ
３０    第２測定具
３１    第２基準鉛直線（第２基準直線）
３２    第２基準水平線（第２基準直線）
３３    第２傾斜線（第２傾斜線群）
３４    貫通支持孔
４０    支持手段
Ａ      ユーザーの頭部
Ａ１    鼻
Ｌ１    鉛直線
Ｌ２    レンズの傾斜方向
α      前傾角
【図１】
2010224080.tif 000003
【図２】
2010224080.tif 000004
【図３】
2010224080.tif 000005
【図４】
2010224080.tif 000006
【図５】
2010224080.tif 000007
【図６】
2010224080.tif 000008
【図７】
2010224080.tif 000009
【図８】
2010224080.tif 000010